(57)【特許請求の範囲】
【請求項１】
第１の直径を有する第１の開口部を区画するセキュリティデバイスであって、該セキュリティデバイスが、
ラッチ嵌合要素を有するベルトと、
磁力によって作動可能な係止機構であって、
磁力によりラッチ解放方向に移動させることができる、磁力により作動可能なラッチと、
該磁力により作動可能なラッチおよび前記ベルトを係止位置へと付勢する可撓性要素と、
を含むことを特徴とする係止機構と、
前記磁力によって作動可能な係止機構をその中に設けたハウジングであって、前記ベルトをその中にスライドして受け入れるように構成されたベルト経路をその中に区画する通路を含むことを特徴とするハウジングと、
を有することを特徴とするセキュリティデバイスと、
スペーサであって、前記第１の直径よりも小さい第２の直径を有する中央開口部を生成するために、前記第１の開口部内に取外し可能に配置できることを特徴とするスペーサと、
を備えることを特徴とするセキュリティシステム。
【請求項２】
前記スペーサが、前記ベルトを受け入れるように配置されるチャンネルを含むことを特徴とする、請求項１に記載のセキュリティシステム。
【請求項３】
前記スペーサが、前記ベルトをその下に通すことができるブリッジを含むことを特徴とする、請求項１に記載のセキュリティシステム。
【請求項４】
前記中央開口部が、複数の内側凸部によって区画されることを特徴とする、請求項１に記載のセキュリティシステム。
【請求項５】
前記スペーサが、第１の半分部分、第２の半分部分および接続セグメントで構成され、前記第１の半分部分が、前記接続セグメントによって前記第２の半分部分に結合されることを特徴とする、請求項１に記載のセキュリティシステム。
【請求項６】
前記スペーサが弾性材料で構成され、前記スペーサがスペーサ開口部を有し、前記第２の直径が前記スペーサ開口部に基づいて調節可能であることを特徴とする、請求項１に記載のセキュリティシステム。
【請求項７】
前記スペーサ開口部が、前記セキュリティデバイス内の前記第１の開口部の直径に基づいて調節されることを特徴とする、請求項６に記載のセキュリティシステム。
【請求項８】
前記スペーサが、対象物の細長部分に取付け可能であることを特徴とする、請求項１に記載のセキュリティシステム。
【請求項９】
前記スペーサが、ゴルフクラブ、野球のバット、靴および釣り竿のうち１つに取付け可能であることを特徴とする、請求項１に記載のセキュリティシステム。
【発明の詳細な説明】
【技術分野】
【０００１】
関連出願の相互参照
本出願は、２００７年６月７日付けで出願された「Ｓｅｃｕｒｉｔｙ  Ｄｅｖｉｃｅ  ｆｏｒ  ａ  Ｂｏｔｔｌｅ」と題する米国特許出願第１１／７９２，６３２号の一部継続出願である。米国特許出願第１１／７９２，６３２号は、２００５年１２月７日付けで出願された「Ｓｅｃｕｒｉｔｙ  Ｄｅｖｉｃｅ  ｆｏｒ  ａ  Ｂｏｔｔｌｅ」と題するＰＣＴ／ＵＳ２００５／０４４６８８の国内段階出願であり、ＰＣＴ／ＵＳ２００５／０４４６８８は、２００４年１２月７日付けで出願された「Ｉｍｐｒｏｖｅｄ  ＥＡＳ  Ｓｅｃｕｒｉｔｙ  Ｔａｇｓ」と題する米国仮特許出願整理番号第６０／６３３，８１３号および２００５年５月２３日付けで出願された「Ｉｍｐｒｏｖｅｄ  ＥＡＳ  Ｓｅｃｕｒｉｔｙ  Ｔａｇｓ」」と題する米国仮特許出願整理番号第６０／６８３，６５７号に基づく優先権を主張するものである。本出願はまた、２００７年９月４日付けで出願された「Ｓｅｃｕｒｉｔｙ  Ｄｅｖｉｃｅ  ｆｏｒ  ａ  Ｂｏｔｔｌｅ」と題する米国仮特許出願整理番号第６０／９６７，４１６号および２００８年２月１３日付けで出願された「Ｓｅｃｕｒｉｔｙ  Ｄｅｖｉｃｅ，  Ｓｐａｃｅｒ  ａｎｄ  Ｓｙｓｔｅｍ  ｆｏｒ  Ａｒｔｉｃｌｅｓ  Ｈａｖｉｎｇ  ａ  Ｃｙｌｉｎｄｅｒ−Ｌｉｋｅ  Ｎｅｃｋ」と題する米国仮特許出願整理番号第６１／０２８，３６７号に基づく優先権を主張し、それらはそれぞれ、参照することにより本明細書に全体として組み込まれる。
【０００２】
本発明は、一般には、管理区域から物品を未許可で持ち出すことを防止するための電子物品監視（「ＥＡＳ」）システムに関し、より詳細には、ＥＡＳセキュリティタグと、様々なサイズの瓶または細長部分を有するその他の物品に取り付けられるように構成される適応可能な挿入部に関する。
【背景技術】
【０００３】
小売環境における典型的な電子商取引監視（「ＥＡＳ」）システムは、未許可の持ち出しから保護するために、監視システムと、物品に取り付けられた１つまたは複数のセキュリティタグまたはラベルとを備えることができる。監視システムは、通常は管理区域に対するアクセスポイントに、監視領域（問合せ領域とも称される）を確立する。管理領域から許可されて持ち出される物品は、監視システムによって検出されないように、無効化され、または取り外される場合がある。有効なセキュリティタグを有する監視された物品が監視領域に入る場合、その物品を未許可で持ち出す可能性を示すために、アラームをトリガすることができる。
【０００４】
当該技術で知られているように、任意の数の構成で、ＥＡＳシステム用のセキュリティタグ（ラベルとも称される）を構築することができる。タグまたはラベルの所望の構成は、保護すべき物品の性質によって示されることが多い。たとえば、小売店内にある洋服に取り付けられるのが一般的なＥＡＳラベルを含むハードタグのように、監視される物品に固定できる硬いハウジング内に、ＥＡＳラベルを封入することができる。ＣＤ、ＤＶＤ、小型電子デバイスなどの万引きの被害の対象となる予め包装された商品については、少なくとも購買前の期間に消費者から見えないような方法で、パッケージの内部にＥＡＳラベルを配置してもよい。
【０００５】
小売環境で販売されるいくつかのタイプの包装されていない消費者向け製品は、万能型のＥＡＳタグ付け方法に簡単には適応できない不規則な形状をしている。このような物品の例としは、ゴルフクラブおよびワインまたは酒を入れることができる瓶などのテーパー形状のネックと封止蓋とを有するガラス瓶がある。ガラス瓶に入れられた製品は高価である場合があり、消費者が購入するために手で取り出すことができる小売棚上に保護せずに陳列されることが多い。このような環境では、瓶は万引きの被害を受けやすい。したがって、ガラス瓶または細長部分を有するその他の対象物に取り付けるように適合される高価でないＥＡＳセキュリティデバイスを提供することが望ましい。
【０００６】
それに加えて、円筒形の複数の対象物が様々な直径を有する際には、比較的大きな直径を有する対象物に適するセキュリティデバイスは、小さな直径を有する対象物に固定して取り付けるには大きすぎる場合がある。一部の対象物、たとえば瓶のネックが非常に狭いものもあり得ることは容易に理解できよう。たとえば、ゴルフクラブおよび釣り竿のような物品は、非常に高価な場合があり、そのシャフトは、極端に細い。
【０００７】
したがって、ＥＡＳセキュリティデバイスと、様々な直径の細長部分を有する瓶その他の対象物に適するように適合させることが可能な挿入部とが必要とされる。
【発明の概要】
【０００８】
本発明は、細長部分を有する対象物を盗難から保護するための方法、セキュリティシステム、ならびにスペーサおよびシステムを有利に提供する。一般には、本発明は、瓶、ゴルフクラブ、釣り竿、ハイヒールなどのような直径の小さな細長部分を有する対象物を保護するためのセキュリティデバイスとあわせて使用するためのスペーサを提供する。スペーサは、セキュリティデバイスの中央開口部に挿入され、前記対象物の細長部分に取り付けられ、それによって、前記セキュリティデバイスが対象物から取り外されないようにする。
【０００９】
本発明の一態様は、セキュリティデバイスよびスペーサを含むセキュリティシステムを提供する。セキュリティデバイスは、第１の直径を有する第１の開口部を区画し、スペーサは、第１の直径よりも小さい第２の直径を有する中央開口部を生成するために、第１の開口部内に取外し可能に配置できる。セキュリティデバイスは、磁力によって作動可能な係止機構と磁力によって作動可能な係止機構をその中に有するハウジングとを含む。係止機構は、磁力により作動可能なラッチと、ラッチにラッチ嵌合要素を提供するように構成されたベルトと、磁力により作動可能なラッチおよびベルトを係止位置へと付勢する可撓性要素とを含む。ハウジングは、前記ベルトをその中にスライドして受け入れるように構成されたベルト経路を区画する通路を含む。
【００１０】
別の態様によると、本発明は、セキュリティデバイスとあわせて使用するためのスペーサを提供する。セキュリティデバイスは、第１の直径を有する第１の開口部を区画する一部分を含む。スペーサは、その一部分を受け入れるように配置されたチャンネルと、第１の直径よりも小さい第２の直径を有する中央開口部を区画する本体とを含む。
【００１１】
別の態様によると、本発明は、対象物を盗難から保護するための方法を提供する。対象物は、第１の直径を有する細長部分を有する。スペーサは、セキュリティデバイスの第１の開口部に挿入される。スペーサは、第１の直径よりも大きな第２の直径を有する中央開口部を有する。スペーサは、対象物の細長部分の周囲を取り巻いて固定される。セキュリティデバイスは、スペーサが対象物から取り外されてないようにするために、スペーサの周りに締められる。
【００１２】
本発明ならびにそれに付随する利点および特徴のより完全な理解は、添付の図面とともに考慮しながら、以下の詳細な説明を参照することによって、より容易に理解されよう。
【図面の簡単な説明】
【００１３】
【図１】１つの実施形態による、セキュリティデバイスおよびシステムのコンポーネントを示す図である。
【図２】１つの実施形態による、瓶カバーの斜視図である。
【図３】１つの実施形態による、瓶カバーの斜視図である。
【図４】１つの実施形態による、瓶カバーの斜視図である。
【図５】１つの実施形態による、瓶カバーの斜視図である。
【図６】１つの実施形態による、瓶カバーの上面図である。
【図７】１つの実施形態による、瓶カバーの前面図である。
【図８】１つの実施形態による、瓶カバーの側面図である。
【図９】１つの実施形態による、瓶カバーの底面図である。
【図１０】１つの実施形態による、ベルトアセンブリの斜視図である。
【図１１】１つの実施形態による、ベルトアセンブリの斜視図である。
【図１２】１つの実施形態による、ベルトアセンブリの一部分の斜視図である。
【図１３】１つの実施形態による、ベルトアセンブリの一部分の斜視図である。
【図１４】１つの実施形態による、磁力により作動可能なラッチおよび可撓性要素を含むベルトアセンブリの一部分を示す図である。
【図１５】１つの実施形態による、ベルトアセンブリの斜視図である。
【図１６】１つの実施形態による、ベルトアセンブリの上面図である。
【図１７】１つの実施形態による、ベルトアセンブリの前面図である。
【図１８】１つの実施形態による、ベルトアセンブリの側面図である。
【図１９】１つの実施形態による、ベルトアセンブリの分解図である。
【図２０】１つの実施形態による、瓶に関するセキュリティデバイスの閉位置における斜視図である。
【図２１】図２０に示された実施形態の開位置における部分断面斜視図である。
【図２２Ａ】本発明のセキュリティデバイスとともに使用するためのゴルフクラブスペーサの前面図である。
【図２２Ｂ】本発明のセキュリティデバイスとともに使用するためのゴルフクラブスペーサの右側面図である。
【図２２Ｃ】本発明のセキュリティデバイスとともに使用するためのゴルフクラブスペーサの背面図である。
【図２２Ｄ】本発明のセキュリティデバイスとともに使用するためのゴルフクラブスペーサの左側面図である。
【図２２Ｅ】本発明のセキュリティデバイスとともに使用するためのゴルフクラブスペーサの上面図である。
【図２２Ｆ】本発明のセキュリティデバイスとともに使用するためのゴルフクラブスペーサの底面図である。
【図２３】本発明のセキュリティデバイスとともに使用するためのゴルフクラブスペーサの前左下側からみた斜視図である。
【図２４】本発明のセキュリティデバイスとともに使用するためのゴルフクラブスペーサの後左上側からみた斜視図である。
【図２５】本発明のセキュリティデバイス内に組み付けられるためのゴルフクラブスペーサの前左下側からみた斜視図である。
【図２６】本発明のセキュリティデバイス内に組み付けられるためのゴルフクラブスペーサの後右上側からみた斜視図である。
【図２７】ゴルフクラブに係止された図２２〜図２６のゴルフクラブスペーサの斜視図である。
【図２８】本発明のセキュリティデバイス内に組み付けられた瓶スペーサの前面図である。
【図２９】本発明のセキュリティデバイス内に組み付けられた瓶スペーサの側面図である。
【図３０】本発明のセキュリティデバイス内に組み付けられた瓶スペーサの斜視図である。
【図３１】瓶に係止された図２８〜図３０の瓶スペーサの斜視図である。
【図３２】瓶に係止された図２８〜図３０の瓶スペーサの側面図である。
【発明を実施するための形態】
【００１４】
諸実施形態は、たとえば瓶などの物品を、セキュリティタグとペアリングするための装置、システムおよび方法を対象とすることができる。
【００１５】
たとえば、１つの実施形態は、係止機構、セキュリティタグおよびハウジングを備えるセキュリティデバイスを含むことができる。この係止機構は、磁力により作動可能なラッチ、磁力により作動可能なラッチを係止位置に向かって付勢する可撓性要素および係止位置で磁力により作動可能なラッチの少なくとも一部分と嵌合するラッチ嵌合要素を備えることができる。本明細書で使用される場合、「係止位置」とは、磁力により作動可能なラッチが、そこで部分的にまたは完全に、ラッチ嵌合要素の空隙内にある、ラッチ嵌合要素と係合する、ラッチ嵌合要素と接合する、あるいはラッチ嵌合要素と嵌合する磁力により作動可能なラッチの位置を指す。ハウジングは、部分的にまたは完全に、係止機構、セキュリティタグ、ラッチ嵌合要素および物品をハウジングに含む、封入する、あるいは固定するように構成された構造とすることができる。固定する際には、係止機構の磁力により作動可能なラッチは、係止位置でラッチ嵌合要素と嵌合して、ハウジングを、したがってハウジングが固定されるセキュリティタグを物品に係止することができる。ハウジングが係止されると、セキュリティデバイスは、ハウジングを物品から分離しようとする試みを防止する、またはその試みに対する抵抗を与えることができる。別の実施形態は、セキュリティデバイスおよび取外し器を備えるセキュリティシステムを含むことができる、この取外し器は、磁石を含むデバイスとすることができる。取外し器を使用して、係止位置から磁力により作動可能なラッチを磁力によって引き離すことによって、ハウジングを係止解除することができる。
【００１６】
本明細書中で「１つの実施形態」または「一実施形態」のいずれかについて言及するときは、該実施形態に関連して記載された特定の特性、構造または特徴が少なくとも１つの実施形態に含まれていることを意味することに注意すべきである。本明細書中の様々な箇所で用いられる「１つの実施形態において」という表現は、必ずしも全て同一の実施形態について言及するものでない。
【００１７】
諸実施形態の完全な理解を提供するために、数多くの特定の詳細事項を本明細書に記載することができる。しかしながら、これらの特定の詳細事項なしに諸実施形態を実施し得ることが、当業者には理解できよう。その他の例では、よく知られる方法、手順およびコンポーネントは、諸実施形態が不明瞭にならないように詳細には記載されていない。本明細書で開示される特定の構造的詳細事項および機能的詳細事項は代表的なものである場合があり、諸実施形態の範囲を必ずしも限定するものではないことが理解できよう。
【００１８】
次に、同様の部品が全体を通して同様の番号で指定される図面を詳しく参照すると、１つの実施形態によるセキュリティシステム１およびセキュリティデバイス２に含まれ得るコンポーネントの前面図が、図１に示される。本実施形態では、セキュリティシステム１は、セキュリティデバイス２および取外し器４０を含む。セキュリティデバイス２は、係止機構１０、セキュリティタグ２０およびハウジング３０を含むことができる。
【００１９】
係止機構１０は、磁力によって作動可能な係止機構とすることができ、磁力により作動可能なラッチ１２、可撓性要素１６およびラッチ嵌合要素１８を含むことができる。
【００２０】
磁力により作動可能なラッチ１２は、ベース部分端部１３Ａならびに側面１３Ｂおよび１３Ｃを含むことができるベース部分１３と、ラッチング部分端部１４Ａを含むことができるラッチング部分１４と、中央部分１５とを含むことができる。
【００２１】
磁力により作動可能なラッチ１２は、ベース部分１３の幅がラッチング部分１４の幅とも中央部分１５の幅とも同じになるように、実質的に方形の面を有することができる。したがって、ベース部分１３の幅、つまり、側面１３Ｂと側面１３Ｃ間の距離は、ラッチング部分１４および中央部分１５の対応する幅と同じにすることができる。その他の実施形態では、ベース部分１３、ラッチング部分１４および中央部分１５の幅は、異なっていてよい。磁力により作動可能なラッチ１２の断面は、細長く均一にすることができる。
【００２２】
しかしながら、磁力により作動可能なラッチ１２は、所望に応じて構成することができ、１つまたは複数の部分を備えることができ、かつ、任意の点、線または平面に対して対称であっても非対象であってもよい。たとえば、様々な実施形態において、磁力により作動可能なラッチ１２は、「Ｔ型」、「Ｉ型」、湾曲形状またはその他の形状の面と、方形、円形、厚い、中空、または空隙、および／または均一でない断面を有する、あるいは、磁力により作動可能なラッチ１２の諸実施形態について本明細書で記載されるように構成することができる。別の実施形態では、磁力により作動可能なラッチ１２のラッチング部分端部１４Ａは、１つまたは複数の歯、リブ、ノッチ、突起、点、曲線、空隙、または、磁力により作動可能なラッチ１２の諸実施形態について本明細書で記載されるようなその他の形状を含むことができ、ベース部分端部１３Ａは、平坦または別の形状とすることができる。それに加えて、ベース部分端部１３Ａは、連続しても、連続しなくてもよい。本明細書で記載されるように、ラッチング部分１４のようにその少なくとも一部分が、ラッチ嵌合要素１８と係合し、ラッチ嵌合要素１８を受け入れ、ラッチ嵌合要素１８中に挿入され、あるいは、ラッチ嵌合要素１８と嵌合することができるように、磁力により作動可能なラッチ１２を構成することができる。
【００２３】
１つの実施形態において、セキュリティデバイス２は、複数の磁力により作動可能なラッチ１２を含み、これらの磁力により作動可能なラッチ１２は、セキュリティデバイス２の同じ部分または異なる部分に、場合によってはそれぞれ別の可撓性要素１６およびラッチ嵌合要素１８と一緒に配置される。たとえば、１つの実施形態において、複数の磁力により作動可能なラッチ１２はそれぞれ、セキュリティデバイス２の別の部分と協働して、たとえば、物品を固定する部分またはセキュリティタグ２０を固定する部分のような部分を係止することができる。
【００２４】
磁力により作動可能なラッチ１２は、鉄、ニッケルまたはコバルト、あるいは、鉄、ニッケルまたはコバルトの合金などの磁性材料で形成することができる。１つの実施形態において、磁力により作動可能なラッチ１２は、１つまたは複数の磁性材料を含むことができ、また、１つまたは複数の非磁性材料を含むこともできる。
【００２５】
可撓性要素１６は、立方体、楕円体、コイル形状、または可撓性要素１５１６の諸実施形態について本明細書に記載されるような任意のその他の形状などに、所望に応じて成形することができ、１つまたは複数の部分を含むことができ、あるいは、磁力により作動可能なラッチ１２と結合または一体に形成することができる。１つの実施形態において、可撓性要素１６は、たとえばリーフスプリングのようなカンチレバーアームとして成形することができる。可撓性要素１６は、圧縮されると抵抗を提供することができ、圧縮力が除去されると非圧縮形状に部分的にまたは完全に戻ることができる、軽材料、多孔性材料、半強節材料、弾性材料、ガス状材料および／またはスポンジ状材料などを含む、あるいはそれらの材料で形成することができる。たとえば、様々な実施形態において、可撓性要素１６は、フォームラバー、ポリマーフォーム、セラミックフォームまたはその他のフォーム、ゴムならびに／あるいははその他の１つまたは複数の材料を含む、またはそれらの材料で形成することができる。代替的には、可撓性要素１６は、圧縮されると抵抗力を提供するように構成することもできる。たとえば様々な実施形態において、コイル、リーフもしくはその他のカンチレバーアーム、あるいは金属材料、ポリマー材料、セラミック材料および／またはその他の１つまたは複数の材料を含むその他のばねまたは同様の部材として、可撓性要素１６を構成することができる。可撓性要素１６は、様々な質量のいずれを有していてもよい。
【００２６】
ラッチ嵌合要素１８は、１つまたは複数の孔もしくはその他の空隙、リブ、歯、凸部またはその他の形状等を有するように、所望に応じて構成することができる。ラッチ嵌合要素１８は、１つまたは複数の部分を含むことができ、本明細書に記載されるように、ハウジング３０から離隔していても、あるいはハウジング３０と一体としてもよい。ラッチ嵌合要素１８は、磁力により作動可能なラッチ１２の少なくとも一部分と係合するように、磁力により作動可能なラッチ１２の少なくとも一部分を受け入れるように、磁力により作動可能なラッチ１２の少なくとも一部分中に挿入されるように、あるいは磁力により作動可能なラッチ１２の少なくとも一部分と嵌合するように構成することができる。たとえば、磁力により作動可能なラッチ１２が方形状の面を有する細長い部材である一実施形態では、ラッチ嵌合要素１８は、本明細書で記載されるように、磁力により作動可能なラッチ１２のラッチング部分１４またはその一部が、係止位置まで挿入される空隙を有するように構成することができる。磁力により作動可能なラッチ１２にラッチング部分端部１４Ａで歯が付けられる一実施形態では、ラッチ嵌合要素１８は、係止位置で歯と係合するリブを有するように構成することができる。
【００２７】
セキュリティタグ２０は、任意のセキュリティタグまたはラベルのような任意の検出可能なデバイスまたはシステムとすることができる。たとえば、様々な実施形態において、セキュリティタグ２０は、たとえば、任意のタイプのＥＡＳタグ（たとえば、無線周波数（ＲＦ）タグ、音響磁気タグおよび／またはそれらの組合せ）、無線周波数識別（ＲＦＩＤ）タグ、スマートタグ、あるいはその他の検出可能な盗難防止またはその他のタグとすることができる。セキュリティタグ２０は、セキュリティタグまたはラベル、音響磁気検出器、電磁検出器、無線周波数検出器あるいはその他の検出器のタイプに依存する等して、対応する検出システムまたはデバイスによって検出可能とすることができる。図１の実施形態に部分的に示されるハウジング３０は、部分的にまたは完全に係止機構１０およびセキュリティタグ２０を、また、係止機構１０が係止位置にあり、該ハウジングがそれにより係止される場合には物品を、含むおよび／または取り囲む、封入する、取り付ける、相互係止する、あるいは固定する任意の筐体またはその他の構造とすることができる。したがって、ハウジング３０および係止機構１０が協働して、物品を、ハウジング３０に、したがってセキュリティデバイス２に固定または係止することができる。ハウジング３０は、所望に応じて構成することができ、ハウジング１５３０（図１０〜図２１参照）の諸実施形態について以下で詳細に記載されるようにハウジングに固定されるように設計される係止機構１０、セキュリティタグ２０、および物品の形状に基づいて成形することができる。ハウジング３０は、ハウジング３０と一体とすることができるラッチ嵌合要素１８を含むことができる。代替的には、ラッチ嵌合要素１８とペアリングするように、ハウジング３０を構成することができる。ハウジング３０は、ポリマーおよび／または１つまたは複数の別の材料とすることができる。
【００２８】
セキュリティデバイスの諸実施形態についてについて以下に述べられるように、セキュリティデバイス２が物品に係止することができるように、セキュリティデバイス２に含まれるコンポーネントを構成することができる。セキュリティタグ２は、繰り返し使用可能でも、使い捨てでもよい。
【００２９】
図２から図５は、１つの実施形態による瓶ハット１５７０の斜視図であり、対応する要素について論じる場合にこれらを参照することができる。瓶ハット１５７０は、ワイン、酒、ビール、香水、化粧品または任意のその他の瓶などの瓶、あるいは、端部に口部またはその他の開口部を有するネックが突出した構造を有する任意のその他の容器の少なくとも一部分を覆って嵌合するように、成形およびサイズ設定することができる。瓶ハット１５７０は、カップ１５７２を含むことができる。カップ１５７２は、側壁１５７４およびベース１５７６によって、境界を画し、ともにカップ開口部１５７８の輪郭を描くことができる。１つの実施形態において、側壁１５７４は円筒形であり、頂壁１５７６は、側壁１５７４に隣接して横方向に位置し、実質的に円筒形状のカップ開口部１５７８の輪郭を描く。
【００３０】
しかしながら、その他の実施形態において、側壁１５７４およびベース１５７６は、様々な形状および寸法とすることができ、あるいは、カップ１５７２は、少なくとも瓶口および任意の隣接するキャップ、コルクもしくは瓶口のその他のカバー、あるいは、瓶口および任意のその他の隣接するカバー状に成形された別の要素を受け入れ、収容するようにサイズ設定された任意のその他の構造を有することができる。たとえば、１つの実施形態において、カップ１５７２は、たとえばカップがドーム形状である場合は、ベース１５７６を含むことができない。カップ１５７２はさらに、封入された液体がそこを通って放出される瓶の任意の隣接するネックのうちいくつかまたは全てを含むように構成することができる。
【００３１】
また、瓶ハット１５７０は、ベルトアセンブリ１５５０を受け入れるように構成される受入構造１５８０も含む。受入構造１５８０は、ベース１５７６が配置される端部と対向するカップ１５７２の蓋１５７３から延在している。１つの実施形態において、この受入構造１５８０は、１つまたは複数の脚部を含む。１つの実施形態において、この受入構造１５８０は、３本の脚部１５８１〜１５８３を含むが、これらの脚部は、蓋１５７３から延在し、瓶のネックの少なくとも一部分の周りに配置されるようにサイズ設計され成形される。脚部１５８１〜１５８３は同様の構造をしており、カップ１５７２から同様に延在しているので、ここでは、脚部１５８１についてのみ論じる。しかしながら、脚部１５８１〜１５８３のうち１つまたは複数は、様々な実施形態で、異なるように構成したり、無くしたりしてもよい。別の実施形態では、連続構造またはベルトアセンブリ１５５０を受け入れることができる任意のその他の構造を、１つまたは複数の脚部１５８１〜１５８３と置換とすることができる。
【００３２】
脚部１５８１は、円弧形状となるように、側壁の延在部分を形成することができる。側壁１５７４が円筒形状である一実施形態では、脚部１５８１は、中心軸に対して側壁１５７４の半径と同様のまたは実質的に同じ半径となるように、側壁１５７４の中心軸を中心として弧を描くことができる。脚部１５８１は、１つの実施形態では側壁１５７４の中心軸から環状に延びることができるベルト受入チャンネル壁１５８６Ａおよび１５８６Ｂを有するベルト受入チャンネル１５８６を含むことができる。
【００３３】
ベルト受入チャンネル１５８６は、ベルト受入チャンネル１５８６内に溝１５９０を含むことができ、以下に記載されるように、ベルトアセンブリ１５５０は、その溝の中へ少なくとも部分的に延在することができる。溝１５９０は、ベルト受入チャンネル１５８６に沿って延在することができ、１つの実施形態では、ベルト受入チャンネル壁１５８６Ａおよび１５８６Ｂから等しく離隔するように延在することができる。１つの実施形態において、溝は「Ｖ」形状である。様々なその他の実施形態では、溝１５９０は、異なる形状で異なる位置とすることができ、以下に論じられるように、ベルトアセンブリ１５５０の少なくとも一部分を受け入れるように成形し配置することができる。
【００３４】
瓶ハット１５７０は、プラスチックまたはその他の任意の材料あるいは複数の材料の組合せで作製することができる。１つの実施形態において、瓶ハット１５７０は、頑丈なプラスチックを含む。別の実施形態では、瓶ハットは、たとえばゴム、または瓶ネックの形状に合うように、もしくは、瓶ネックの周りに嵌合するように変形することができるその他の材料などの弾性材料を含むことができる。
【００３５】
図６〜図９は、１つの実施形態による瓶ハット１５７０の上面図、前面図、側面図および底面図である。図示されるように、瓶ハット１５７０の側壁１５７４が円筒形である一実施形態では、脚部１５８１〜１５８３が含まれる場合には、脚部１５８１〜１５８３の内径は、側壁１５７４の内径と同じである。
【００３６】
図１０〜図１４は、１つの実施形態によるベルトアセンブリ１５５０またはその一部分の斜視図である。ベルトアセンブリ１５５０は、係止機構１５１０、セキュリティタグ１５２０、ハウジング１５３０および固定ベルト１５６０を含むことができる。係止機構１５１０は、以下に記載されるように、磁力により作動可能なラッチ１５１２、可撓性要素１５１６およびラッチ嵌合要素１５１８を含むことができる。
【００３７】
まず図１２および図１４を参照する。図１２は、１つの実施形態によるベルトアセンブリ１５５０の斜視図であり、係止機構ポーチ１５３１内に設けられた係止機構１５１０の磁力によって作動可能な係止機構１５１２および可撓性要素１５１６を示す。図１４は、１つの実施形態による磁力によって作動可能な係止機構１５１２および可撓性要素１５１６を含むハウジングの一部分の斜視図である。
【００３８】
図１２および図１４を参照すると、磁力により作動可能なラッチ１５１２は、磁性材料を含むことができ、図１の磁力により作動可能なラッチ１２について記載されるような１つまたは複数の材料を含むことができる。磁力により作動可能なラッチ１５１２は、ベース部分端部１５１３Ａ、ベース部分側面１５１３Ｂおよびベース部分側面１５１３Ｃを含むことができるベース部分１５１３と、ラッチング部分端部１５１４Ａを含むことができるラッチング部分１５１４と、中央部分１５１５とを含むことができる。
【００３９】
磁力により作動可能なラッチ１５１２は、少なくとも部分的に「Ｉ型」または「Ｔ型」または任意のその他の形状に形成することができる。したがって、ベース部分側面１５１３Ｂとベース部分側面１５１３Ｃは平行とすることができ、それぞれ、少なくとも実質的に直線状とすることができる。ベース部分側面１５１３Ｂとベース部分側面１５１３Ｃと間隔とすることができるベース部分１５１３の幅は、中央部分１５１５の対応する幅より広くすることができるが、ラッチング部分１５１４の対応する幅とは同様とすることができる。ベース部分端部１５１３Ａは平坦とすることができ、ベース部分側面１５１３Ｂおよびベース部分側面１５１３Ｃに実質的に垂直とすることができる。磁力により作動可能なラッチ１５１２は、厚さが薄くなるように構成することができる。
【００４０】
磁力により作動可能なラッチ１５１２は、１つまたは複数の凸部１５５１を含むことができる。１つまたは複数の凸部１５５１は、磁力により作動可能なラッチ１５１２のラッチ部分１５１４に少なくとも部分的に配置することができ、ラッチング部分端部１５１４Ａにその端部を有することができる。
【００４１】
１つの実施形態において、１つまたは複数の凸部１５５１は、１つまたは複数の歯を含むことができる。１つの実施形態において、たとえば、凸部１５５１は、１つの実施形態における５つの歯１５５２〜１５５６を含むことができる。１つまたは複数の歯はまた、図１９の実施形態で見ることができる。この実施形態では、歯１５５２〜１５５６は、同様の構造を有することができ、磁力により作動可能なラッチ１５１２内に同様に配置することができる。したがって、１つの歯１５５２のみについて、以下に詳細に記載する。しかしながら、歯１５５２のうち１つまたは複数は、様々な実施形態において、それぞれ異なるように構成しても、無くしてもよい。
【００４２】
歯１５５２は、側面１５５２Ａおよび１５５２Ｂを有することができ、側部１５５２Ａおよび１５５２Ｂは、歯端部１５５２Ｃで交わるように、あるいはその付近で終端するように相対的に角度を付けることができる。したがって、歯端部１５５２Ｃは、先が尖っていてもよい。
【００４３】
側面１５５２Ａは、歯１５５３〜１５５６の対応する側面と少なくとも実質的に平行とすることができ、側面１５５２Ｂおよび１５５３〜１５５６の対応する側面も同様とすることができる。側面１５５２Ａは、ベース部分１５１３のベース部分側面１５１３Ｂ〜１５１３Ｃ、ならびに／あるいは、磁力により作動可能なラッチ１５１２のラッチング部分１５１４および中央部分１５１５の対応する側面の一方または両方に対して角度を付けることができる。側面１５５２Ｂは、ベース部分１５１３のベース部分側面１５１３Ｂ〜１５１３Ｃ、ならびに、ラッチング部分１５１４および中央部分１５１５の対応する側面に対して、実質的に垂直にまたは（側部１５５２Ａに比べて）小さな角度とすることができる。歯１５５２〜１５５６は、均一に離隔しても、不均一に離隔してもよい。１つの実施形態において、歯側面１５５２Ａと歯側面１５５２Ｂの角度は、歯毎に異なってもよく、あるいは、任意の組合せの角度を使用してもよい。
【００４４】
しかしながら、１つまたは複数の凸部１５５１は、その他の構成を備えることができる。たとえば、１つまたは複数の凸部１５５１は、たとえば、１つまたは複数のリブ、ノッチ、突起、点、曲線または空隙を備えることができる。１つまたは複数の凸部１５５１は、ラッチのラッチング部分１５１４上に少なくとも部分的に配置することができ、ラッチング部分端部１５１４Ａを備えることができる。１つまたは複数の凸部１５５１は、以下に記載するように、係止位置でラッチ嵌合要素１５１８と嵌合するように構成することができる。
【００４５】
磁力により作動可能なラッチ１５１２はまた、係止位置から磁力により作動可能なラッチ１５１２を移動させようと企図する際に、ベルト経路１５３６中に未許可の対象物を挿入しないように構成することができる。図示された実施形態では、磁力により作動可能なラッチ１５１２は、デバイス内に貫入して実施される操作を妨げるタンパー対処ノッチ１５１２Ａ（図１２および図１４）を含む。タンパー対処ノッチ１５１２Ａの機能は以下に詳細に記載される。
【００４６】
あるいは、磁力により作動可能なラッチ１５１２は、図１に示される磁力により作動可能なラッチ１２について本明細書に記載されるように、様々な実施形態で構成することができる。
【００４７】
可撓性要素１５１６は、可撓性材料を含むまたは可撓性材料で形成することができ、図１に示される可撓性要素１６について本明細書に記載されるような１つまたは複数の材料を含むことができる。可撓性要素１５１６は、１つの実施形態において、側部１５１６Ａが側部１５１６Ｂよりも広くなるような実質的に立方形状を有するように構成することができ、あるいは、別の形状とすることができる。様々なその他の実施形態では、可撓性要素１５１６は、図１の磁力により作動可能なラッチ１２について上述されたように、コイルまたはその他のばねあるいは類似する部材の１つまたは複数の材料として構成することができ、また、それらの材料を含むことができる。
【００４８】
ラッチ嵌合要素１５１８は、固定ベルト１５６０内に含まれることができ、ハウジング１５３０から離隔しても、ハウジング１５３０と一体としてもよい。ラッチ嵌合要素１５１８は、本明細書に記載されるように、固定ベルト１５６０に沿って延在することができる。１つの実施形態において、ラッチ嵌合要素１５１８は、１つまたは複数の空隙１５９０を含むことができる。１つの実施形態において、１つまたは複数の歯あるいは１つまたは複数のその他の凸部１５５１が１つまたは複数の空隙１５９０中に延在すると、磁力により作動可能なラッチ１５１２は、係止位置でラッチ嵌合要素１５１８と嵌合することができる。
【００４９】
１つまたは複数の空隙１５９０は、凸部１５５１について本明細書で記載されるように凸部であってもよい１つまたは複数の突起１５９２によって輪郭を区画することができる。また突起１５９２は、図１５および図１７〜図１９の実施形態で見ることができる。１つまたは複数の突起１５９２はそれぞれ、突起側部１５９４および１５９６を含むことができ、これらの突起側部は、１つの実施形態では平行でなくてもよい。たとえば、１つの実施形態において、突起側部１５９４は、ラッチ嵌合要素１５１８の長さに沿った接線方向と実質的に垂直またはほとんど垂直とすることができるが、突起側部１５９６の角度は、たとえばこの長さに対して、４５度のように鋭角とすることができる。かかる構成により、以下に記載されるように、一方向ではハウジング１５３０中にベルト経路１５３６に沿って、ラッチ嵌合要素をさらに推し進めることが容易にできるようになるが、反対方向に押し進めることはできない。
【００５０】
しかしながら、ラッチ嵌合要素１５１８は、あるいは、たとえば、係止位置で磁力により作動可能なラッチ１５１２と嵌合するように、１つまたは複数のリブ、ノッチ、突起、点、曲線または空隙を有するように構成することができる。たとえば、１つの実施形態において、ラッチ嵌合要素１５１８は、磁力により作動可能なラッチ１５１２の１つまたは複数の凸部１５５１の空隙と類似するまたはいくらか類似するように成形された１つまたは複数の空隙１５９０を有するように構成することができる。したがって、少なくとも１つの空隙１５９０は、少なくとも１つの凸部１５５１またはその一部分を受け入れることができ、それにより、ベルト経路１５３６に沿ってベルト経路壁１５４０の端部１５４０Ｂから、したがってベルト経路１５３６から外れるラッチ嵌合要素１５１８の動きを防止または阻止することができる。
【００５１】
１つの実施形態において、ラッチ嵌合要素１５１８は変形可能であり、たとえばプラスチックまたはゴムを含むことができる。かかる変形可能特性により、以下に記載されるように、磁力により作動可能なラッチ１５１２に対してラッチ嵌合要素１５１８が簡単に移動できるようにすることができる。
【００５２】
別の実施形態では、ラッチ嵌合要素１５１８は、ゴムまたはソフトプラスチックのような貫通可能材料を含むことができ、磁力により作動可能なラッチ１５１２は、先のとがった歯のような凸部１５５１を含むことができる。これらの凸部は、磁力により作動可能なラッチ１５１２が係止位置にある場合にはラッチ嵌合要素１５１８中に突き刺すことができ、したがって、ラッチ嵌合要素１５１８は、ベルト経路１５３６の端部１５４０Ｂから外れる動きを押し進める力に対する抵抗を提供する。
【００５３】
ベルトアセンブリ１５５０の斜視図を示す図１０および図１１を参照すると、ハウジング１５３０は、それぞれ係止機構１５１０部分を受け入れ、係止機構ポーチ１５３１をカバーし、セキュリティタグ１５２０を受け入れ、係止機構ポーチ１５３１をカバーし、固定ベルト１５６０を受け入れるように構成される係止機構ポーチ１５３１、セキュリティタグチャンバ１５３２、係止機構カバー１５３４およびベルト経路１５３６のうち１つまたは複数を含むことができる。
【００５４】
係止機構ポーチ１５３１は、係止機構１５１０の磁力により作動可能なラッチ１５１２および可撓性要素１５１６を受け入れるように成形することができる。１つの実施形態において、係止機構ポーチ１５３１は、ベルトアセンブリ１５５０に固定され、そこから延在している。係止機構ポーチ１５３１は、ハウジング１５３０のベルト経路１５３６またはその他の部分と一体とすることができ、あるいは、溶接、溶着、接着、スナップ、締まりばめおよび／またはその他の固定手段などによってそこに固定してもよい。
【００５５】
ベルトアセンブリ１５５０の係止機構ポーチ１５３１は、係止機構１５１０の磁力により作動可能なラッチ１５１２および可撓性要素１５１６をその係止機構１５１０内で隣接して設けることができるように構成することができる。したがって、磁力により作動可能なラッチ１５１２のベース部分端部１５１３Ａは、可撓性要素１５１６の近くに、または可撓性要素１５１６に当接して配置することができる。かかる構成の場合、磁力により作動可能なラッチ１５１２および可撓性要素１５１６の動きを、１つまたは複数の方向で制限することができる。
【００５６】
たとえば、係止機構ポーチ１５３１は、チャンネル端部壁１５６５、チャンネル壁１５６６および１５６８、ならびに、チャンネル壁１５６６および１５６８によって輪郭が区画され、チャンネル端部壁１５６５によって境界が区画されたチャンネル１５６４を含むことができる。チャンネル壁１５６６および１５６８は、互いに実質的に平行な部分を複数の含むことができ、かつ、ベース部分側面１５１３Ｂおよび１５１３Ｃで、ならびに、中央部分１５１５およびラッチング部分１５１４の側部で、磁力により作動可能なラッチ１５１２に近接して、または、磁力により作動可能なラッチ１５１２と接触してそれぞれ配置し、それにより、磁力により作動可能なラッチ１５１２の動きを、たとえば実質的に直線方向への移動とすることができるチャンネル１５６４に沿った移動へと、制限することができる。
【００５７】
様々なその他の実施形態では、磁力により作動可能なラッチ９１２は、回転方向に、回転／直線の組合せ方向に、あるいは、任意のその他の１つまたは複数の方向に移動することができる。これらの様々なその他の実施形態では、チャンネル９６４、可撓性要素９１６およびラッチ嵌合要素９１８の１つまたは複数を、磁力により作動可能なラッチ９１２をその１つまたは複数の方向に導くように輪郭を形成し、成形し、あるいは構成することができる。
【００５８】
磁力により作動可能なラッチ１５１２が係止位置から可撓性要素１５１６に対して強制的に離されるような場合には、可撓性要素１５１６は、磁力により作動可能なラッチ１５１２の力およびチャンネル端部壁１５６５の抵抗力によって圧縮されるように、可撓性要素１５１６をチャンネル端部壁１５６５に隣接して配置することができる。可撓性要素１５１６は、磁力により作動可能なラッチ１５１２のこのような移動に対して、このような圧縮への抵抗力を提供することができる。
【００５９】
上述のように、様々な実施形態のそれぞれにおいて、このような磁力により作動可能なラッチ１５１２に適合し、磁力により作動可能なラッチ１５１２の動きを１つまたは複数の方向に制限し得るようにチャンネル１５６４、したがってチャンネル壁１５６６および１５６８を構成することができる場合には、磁力により作動可能なラッチ１５１２は、別の構成を有するように構成することができる。これらの実施形態のそれぞれにおいて、可撓性要素１５１６は、チャンネル１５６４内で嵌合するように構成することができる。
【００６０】
したがって、係止機構１５１０の可撓性要素１５１６は、磁力により作動可能なラッチ１５１２を、係止位置中へと付勢することができ、その係止位置で、磁力により作動可能なラッチ１５１２の歯１５５２〜１５５６あるいはその他の１つまたは複数の凸部１５５１は、ベルトアセンブリ１５５０のベルト経路１５３６に設けられたラッチ嵌合要素１５１８部分の突起１５９２と係合することができる。かかる構成により、ベルト経路１５３６、したがってセキュリティデバイス１５０２から外れるラッチ嵌合要素１５１８の動きを防ぐ、またはその動きに対する抵抗を提供することができる。
【００６１】
たとえば、磁力により作動可能なラッチ１５１２の歯１５５２が２つの突起１５９２の間の係止位置に設けられる１つの実施形態において、隣接する突起側部１５９４は、歯側面１５５２Ｂに対して実質的に平行であっても、歯側面１５５２Ｂに対する角度が小さくてもよい。しかし、突起側部１５９４および歯側面１５５２Ｂは、ラッチ嵌合要素１５１８がベルト経路壁１５４０によって制限されるようにベルト経路１５３６を介して移動する方向と実質的に垂直またはほとんど垂直とすることができる。したがって、ラッチ嵌合要素１５１８に力を加えてベルト経路１５３６から引き抜く場合には、ラッチ嵌合要素１５１８は、突起側部１５９４および歯側面１５５２Ｂが接触し、互いに対して対向する実質的に垂直な力またはほとんど垂直な力を行使するまで、移動することができる。このような場合には、ラッチ嵌合要素１５１８が、ベルト経路１５３６から引き抜かれるのを防止または阻止することができる。
【００６２】
しかしながら、１つの実施形態では、かかる構成は、ラッチ嵌合要素１５１８がベルトアセンブリ１５５０のベルト経路１５３６に沿ってその中に移動するのを防ぐことができず、あるいはラッチ嵌合要素１５１８の移動に対する抵抗をほとんど提供することができない。したがって、ベルト経路１５３６に沿ったラッチ嵌合要素１５１８の移動方向に対して、歯側面１５５２Ａおよび隣接する突起側部１５９６は角度を持っていてもよい。ラッチ嵌合要素１５１８に力を加えて、ベルト経路１５３６に沿ってその中にさらに推し進める場合、ラッチ嵌合要素１５１８は、突起側部１５９６および歯側面１５５２Ａが接触するまで移動することができる。このような場合には、突起側部１５９６は、歯側面１５５２Ａを押し進め、したがって、付属の歯１５５２および磁力により作動可能なラッチ１５１２が係止位置から離れるようにし、ラッチ嵌合要素１５１８がルト経路に沿って容易に移動できるようにすることができる。
【００６３】
それに加えて、突起側部１５９６および歯側面１５５２Ａが接触するときには、これらの要素は、突起側部１５９４および歯側面１５５２Ｂよりも小さな対向する垂直力を行使する場合があり、ラッチ嵌合要素１５１８の外側材料が本明細書に記載されるように変形可能である場合には、ラッチ嵌合要素１５１８をより簡単に移動させることができる。任意の垂直力よりも大きな力と本明細書に記載されるようなその他の力を合計することによって、移動を行うことができる。
【００６４】
固定ベルト１５６０のラッチ嵌合要素１５１８のより多くをベルト経路１５３６に沿ってその中に移動させるこの力は、ラッチ嵌合要素１５１８をベルト経路１５３６から外して移動させる力よりも小さく、また、ずっと小さくすることができる。したがって、たとえば１つの実施形態では、このより小さな力を人が管理可能に行使することができ、それにより、その人は、ラッチ嵌合要素１５１８を締め、したがって、瓶ネックの周りにベルトアセンブリ１５５０のベルト経路壁１５４０を締め付けることができる。磁力により作動可能なラッチ１５１２が複数の凸部１５５１を有し、ラッチ嵌合要素１５１８が複数の突起１５９２あるいはその他の１つまたは複数の凸部を有する諸実施形態では、接触している全ての凸部１５５１および突起１５９２によって引き起こされる対向する力を克服しなければならない場合がある。さらにこの力により、人がラッチ嵌合要素１５１８を、ベルト経路１５３６に沿ってその中に管理可能にさらに入るように押すことができるようになっていてもよい。
【００６５】
図１３は、ベルトアセンブリ１５５０の一部分の斜視図であり、セキュリティタグ１５２０を示す。図１０〜図１２とともに図１３を参照すると、ハウジングのセキュリティタグチャンバ１５３２は、セキュリティタグ１５２０のようなセキュリティタグを封入するように成形することができる。１つの実施形態において、セキュリティタグ１５２０は薄い細長部材であり、セキュリティタグチャンバ１５３２は、セキュリティタグ１５２０をしっかりと保持するように成形された内側空隙の輪郭を区画する周囲壁を有する。しかしながら、様々なその他の実施形態では、セキュリティタグチャンバ１５３２は、セキュリティタグ１５２０または任意のその他の形状のセキュリティタグを封入、あるいは固定するように、様々に構成することができる。
【００６６】
セキュリティタグチャンバ１５３２は、上記係止機構ポーチ１５３１について上述されたような方法によって、ベルト経路壁１５４０に、あるいはハウジング１５３０の残りの部分と固定することができる。１つの実施形態において、セキュリティタグチャンバ１５３２は、ベルト経路壁１５４０に滑動可能に取り付けることができる。セキュリティタグチャンバ１５３２が固定されると、ハウジング１５３０、したがって瓶セキュリティデバイス１５０２に固定することができる任意の瓶からセキュリティタグ１５２０が取り外されるのを防いだり、セキュリティタグ１５２０の取外しをより難しくしたりすることができる。
【００６７】
図１０〜図１１に示されるような係止機構カバー１５３４は、係止機構ポーチ１５３１上に、かつ、可撓性要素１５１６および磁力により作動可能なラッチ１５１２の（露出部分のような）少なくとも一部分を覆って配置されるように構成される構造を含むことができる。係止機構カバー１５３４は、係止機構ポーチ１５３１について上述したあるいは本明細書に記載されるような任意の方法によって、ベルトアセンブリ１５５０に固定することができる。係止機構カバー１５３４が固定されると、ハウジング１５３０から磁力により作動可能なラッチ１５１２が取り外されるのを防いだり、磁力により作動可能なラッチ１５１２の取外しをより難しくしたりすることができる。
【００６８】
１つの実施形態において、係止機構ポーチ１５３１および係止機構カバー１５３４は、固定されると、係止機構チャンバと称することができる。係止機構チャンバは少なくとも部分的に、係止機構１５１０の磁力により作動可能なラッチ１５１２および可撓性要素１５１６を封入し、それにより、それらを瓶セキュリティデバイス１５０２に固定することができる。
【００６９】
図１０〜図１４を参照すると、ベルト経路１５３６は、ベルト経路壁１５４０と、ベルト経路壁１５４０によって輪郭が区画されるベルト経路１５３６とを含むことができる。ベルト経路壁１５４０は、ベルト経路壁１５４０を瓶ネックまたはその他の物品の周りに締め付けることができるようにする形状ならびに１つまたは複数の材料を用いて構成し、それにより、瓶をハウジング１５３０に、したがって瓶セキュリティデバイス１５０２に固定することができる。１つの実施形態において、ベルト経路壁１５４０は、固定ベルト１５６０の一部分を含むことができる。
【００７０】
１つの実施形態において、瓶セキュリティデバイス１５０２によって固定された瓶と接触することができるベルト経路壁１５４０の一部分は、瓶固定表面１５４２である。一実施形態では、この瓶固定表面１５４２は、瓶ベルトチャンネル１５６８に適合し、締め付けられたときに瓶ハット１５７０を円形あるいは湾曲形状の瓶ネックに締めることができる環状またはその他の湾曲形状の少なくとも一部分を有することができる。１つの実施形態において、瓶固定表面１５４２は、瓶ネックの周りに直接締め付けることができ、瓶ハット１５７０を使用しなくてもよい。
【００７１】
１つの実施形態において、ベルト経路壁１５４０は、折り曲げ可能、伸長可能、変形可能、あるいは上述のように締め付けることができるプラスチックあるいはその他の１つまたは複数の材料を含むことができる。１つの実施形態において、ベルト経路壁１５４０は、そのような収縮可能で、少なくともいくらか弾力のある材料を含む。かかる構成により、ベルト経路壁１５４０を締め付けられていない形状または同様の形状に戻し、それにより、瓶セキュリティデバイスを再利用できるようにすることができる。
【００７２】
ベルト経路壁１５４０はまた、本明細書で記載される固定ベルト１５６０を受け入れるように成形することができる。１つの実施形態において、ベルト経路壁１５４０は、実質的に均一な厚さの環状のあるいは湾曲したベルト経路１５３６の輪郭を区画することができる。このベルト経路１５３６は、１つの実施形態では、ベルト経路壁１５４０の外側と実質的に同じ曲線を有することができる。しかしながら、他の実施形態において、ベルト経路壁１５４０は、様々な厚みおよび配置を有することができる。そのように厚さおよび配置を変化させることは、ベルト経路壁１５４０の１つまたは複数のその他の表面の構成を変化させることによって、瓶固定表面１５４２の形状を変化させずに実現することできる。
【００７３】
１つの実施形態において、ベルト経路壁１５４０は、瓶ハット１５７０の周りに締め付けられるように構成することができ、そのベルト経路壁１５４０は、瓶の少なくとも一部分を取り囲むことができ、したがって瓶の周りに締め付けることができる。したがって、かかる構成は、瓶を瓶ハット１５７０およびベルト経路壁１５４０に、したがって瓶セキュリティデバイス１５０２固定することができる。瓶固定表面１５４２は、１つまたは複数の脚部１５８１〜１５８３の１つまたは複数のベルト受入チャンネル（たとえば脚部１５８１の１５８６）内に部分的に設けることができるように成形することができる。１つの実施形態において、瓶固定表面１５４２は、脚部１５８１〜１５８３の１つまたは複数の溝（たとえば脚部１５８１の１５９０）中に延在するように構成された１つまたは複数の隆起１５４４を含むことができ、その隆起１５４４は、その周りに設けられるときに、瓶固定表面１５４２を瓶ハット１５７０と位置合わせすることができる。
【００７４】
ベルト経路壁１５４０は、２つの端部１５４０Ａおよび１５４０Ｂを含むことができる。１つの実施形態において、ハンドル１５４６および１５４７は、２つの端部１５４０Ａおよび１５４０Ｂから延在し、ベルトを簡単に締め付けられるようにすることができる。
【００７５】
固定ベルト１５６０は、ベルト経路に沿ってその中に送り込まれることができるように成形することができる。１つの実施形態において、固定ベルト１５６０の少なくとも一部は、形状が湾曲していてもよい細長要素とすることができる。固定ベルト１５６０は、１つの実施形態において、ベルト経路１５３６と同じまたは同様の曲線を持つように成形することができ、それにより、ベルト経路１５３６に沿って固定ベルト１５６０を簡単に移動させられるようにすることができる。しかしながら、固定ベルト１５６０は、その他の形状にしてもよい。
【００７６】
様々な実施形態において、固定ベルト１５６０は、任意の構成の１つまたは複数の材料を含むことができる。たとえば、１つの実施形態において、固定ベルト１５６０は、プラスチックの外側層および金属の内側層を含む。金属要素およびプラスチック要素は、分離可能でも、分離不可能でもよい。たとえば、金属コンポーネントおよびプラスチックコンポーネントは、接合、プレス嵌合、共成型、挿入および／または被覆することができる。金属部分は、固定ベルト１５６０を強化し、固定ベルト１５６０の一部分の破壊あるいは分離を防止または阻止し、したがって、瓶セキュリティデバイス１５０２を固定することができる任意の瓶から瓶セキュリティデバイス１５０２が係止解除するのを防止または阻止することができる。金属は、固定ベルト１５６０を強化するために、ビード状、ストランド状、平ワイヤ状、部分的に円筒形とすることができ、あるいは、任意の方法で形成することができ、また、固定ベルト１５６０を可撓性にするまたは固定ベルト１５６０に可撓性を提供することができる可能性がある。
【００７７】
固定ベルト１５６０は、ベルトアセンブリ１５５０と一体にする、あるいはベルトアセンブリ１５５０に取り付けることができる。たとえば、１つの実施形態において、固定ベルト１５６０は、ベルト経路１５３６内のベルトアセンブリ１５５０と一体にする、あるいは、固定ベルト１５６０の端部のうち１方でベルト経路壁１５４０に取り付けることができる。この実施形態では、固定ベルト１５６０は、その取付け端部から延在し、ベルト経路１５３６の端部１５４０Ａから出て、次いで端部１５４０Ａでベルト経路１５３６中に戻ることができる。したがって、固定ベルト１５６０は、ベルト経路壁１５４０および固定ベルト１５６０が瓶の（ネックなどの）一部分を連続して取り囲むことができるように、２つの端部１５４０Ａおよび１５４０Ｂに分岐することができる。しかしながら、１つの実施形態において、２つの端部１５４０Ａおよび１５４０Ｂは、ベルトアセンブリ１５５０の周囲に沿った任意の点に配置することができる。たとえば、端部１５４０Ａは、係止機構ポーチ１５３１の側部を含む、あるいはその側部に隣接することができ、端部１５４０Ａは反対側に、あるいはその近くに配置することができる。
【００７８】
１つの実施形態において、瓶ネックまたはその他の部分の周りにベルト経路壁１５４０を締め付けるために、ハンドル１５４６および１５４７を互いに係合および押し進めて、取り付けられた固定ベルト１５６０をベルト経路１５３６に沿ってその中にさらに移動させることができる。以下に記載されるように、この方向に移動すると、固定ベルト１５６０含むことができるラッチ嵌合要素１５１８の一部分は、著しい抵抗なしに磁力により作動可能なラッチ１５１２に接触させることができ、磁力により作動可能なラッチ１５１２を通り過ぎることはない。しかしながら、ハンドル１５４６および１５４７が解除された後にベルト経路壁１５４０が締付位置にとどまるように、反対方向の移動は防止され、あるいは、さらに大きな抵抗を受けることができる。したがって、固定ベルト１５６０およびベルト経路壁１５４０は、瓶セキュリティデバイス１５０２の瓶口およびネックの部分をしっかりと固定するように協働することができる。１つの実施形態において、瓶がガラス製の場合などには、瓶セキュリティデバイス１５０２を取り外すための力は瓶を破壊する力よりも大きい場合があるので、このように構成された瓶セキュリティデバイス１５０２を強制的に取り外すことによって、瓶が破壊される可能性がある。
【００７９】
図１５〜図１９は、１つの実施形態による瓶セキュリティデバイス１６０２の斜視図、上面図、側面図、側面図および分解図である。セキュリティデバイス１６０２は、ハウジング１５３０と同様に構成することができるが、上述のベルトアセンブリ１５５０内のセキュリティタグチャンバ１５３２の位置に対してベルトアセンブリ１６５０内に横向きに設けることができるセキュリティタグチャンバ１６３２を含むことができる。ベルトアセンブリ１６５０は、これを開こうとする試みに対する抵抗を提供し、またはその試みを防止するために、溶接、溶着、スナップ、あるいは一緒に固定することができるボトムハウジング１６５０Ａおよびトップハウジング１６５０Ｂを含むことができる。図１９から分かるように、磁力により作動可能なラッチ１５１２は、デバイスを打破するために、ベルト経路１５３６中への部品の挿入を防ぐタンパー対処ノッチ１５１２Ａを含む。
【００８０】
図２０〜図２１は、ハウジング１５３０が、セキュリティタグチャンバ１５３２に隣接する係止機構カバー１５３４を有するように構成されるセキュリティデバイス２００２の一実施形態を示す図である。セキュリティタグチャンバ１５３２は、ＥＡＳラベルのような検出可能要素を含む。図２１は、係止機構１５１０およびセキュリティタグチャンバ１５３２の部分断面図を示す。先に記載した諸実施形態と同じように、係止機構１５１０は、磁力により作動可能なラッチ１５１２、可撓性要素１５１６およびラッチ嵌合要素１５１８を含むことができる。可撓性要素１５１６は、コイルまたはその他のばねあるいは同様の部材として構成することができる。図示された実施形態では、可撓性部材１５１６はコイルばねである。ハウジングは、その中に固定ベルト１５６０をスライドして受け入れるためのベルト経路を提供する経路を含む。図示された実施形態では、ハウジングは、ベルト経路に続く開口２０７２を含み、固定ベルト１５６０を、アパーチャ２０７２を通ってベルト経路中に挿入することができる。
【００８１】
ハウジングは、開位置つまり拡張した位置（図２１）と閉位置（図２０）との間で移動可能な係止部材２０７０を含む。閉位置において、係止部材２０７０は、瓶のネックに係合するように適合される環状開口部２０７１を提供する。１つの実施形態において、係止部材２０７０は、ハウジングにしっかりと取り付けられた（または、ハウジングと一体に形成された）近位端２０７０Ａと、そこから延びる固定ベルト１５６０の少なくとも一部分を有する自由な遠位端２０７０Ｂとを含む。図示された実施形態では、近位端２０７０Ａはハウジングに枢動可能に取り付けられ、係止部材２０７０が外側に回転して、デバイスを開けることができるようになる。図２０〜図２１に示される係止部材２０７０は半環状の構成を有し、剛性材料で形成される。その他の実施形態において、係止部材２０は、保護されるべき物品の性質によって、その他の材料で異なる構成に形成することができる。
【００８２】
固定ベルト１５６０を開口２０７２を通ってベルト経路中に選択可能に挿入して、環状開口部２０７１を形成することができる。図示された実施形態では、固定ベルト１５６０が開口２０７２中に挿入され、ラッチ嵌合要素１５１８を介してラッチ１５１２と係合できるまで、開いた係止部材２０７０を内側に回転させる。
【００８３】
瓶タグの実施形態に関して本発明の諸実施形態を記載してきたが、本発明の原理はそのようなものに限定されない。本発明はまた、シャフト、細長部分またはベルトに基づくセキュリティタグをしっかりと固定することができるその他の形状／構成を有する任意の不規則に成型された対象物に応用することができる。セキュリティデバイス１５０２の諸実施形態は、直径が小さいネックを有する瓶およびその他の対象物を収容するには大きすぎる直径を有する環状開口部２０７１を有してもよいことが企図される。たとえば、ハウジング１５３０およびセキュリティタグチャンバ１５３２のサイズは、ベルトアセンブリ１５５０および開口部の曲率半径が、デバイス１５０２を固定されるべき対象物に係止する方法で、デバイス１５０２を取り付けることができるようにするには、大きすぎる場合があるためである。したがって、別の態様にしたがって図２２〜図３２を参照すると、本発明は、セキュリティデバイス１５０２が、対象物上にしっかりと係止できるように、固定されるべき対象物（たとえばゴルフクラブ、瓶など）とセキュリティデバイス１５０２との間に配置することができるスペーサを提供することができる。スペーサは、固定されるべき対象物がそこを通る中央開口部の最終直径がセキュリティデバイス１５０２内の環状開口部２０７１の直径よりも小さくなるように、セキュリティデバイスの環状開口部２０７１の内側に配置することができる。
【００８４】
一態様にしたがって図２２〜図２６を参照すると、ゴルフクラブスペーサ２２０２は、セキュリティデバイス１５０２をゴルフクラブ２７００のシャフト上に係止するように提供される。ゴルフクラブスペーサ２２０２は、デバイス１５０２をゴルフクラブシャフト２７００上に固定して係止するための取付け中にベルトアセンブリ１５５０によって絞ることができるプラスチック、ゴムまたはその他のポリマーなどの弾性材料で作製することができる。ゴルフクラブスペーサ２２０２は、単一のピースに成型できることが企図される。ゴルフクラブスペーサ２２０２は、ゴルフクラブスペーサ２２０２をセキュリティデバイス１５０２によって絞るときに内径２２０６を狭めることができるようにするためのスペーサ開口部２２０４を含む。凸部２２０８を係止することにより、実質的に均一な圧力をゴルフクラブの周囲全体にわたってゴルフクラブシャフトに与えるような方法で、直径２２０６が容易に調整できるようになり、窃盗犯がスペーサ２２０２とデバイス１５０２の組み合わせをゴルフクラブシャフトから外す作業の可能性が防止される。ゴルフクラブスペーサ２２０２はまた、ベルトアセンブリ１５５０を受け入れ保持するためのベルトチャンネル２２１０を含む。実質的に剛性の部分２２１２は、ゴルフクラブスペーサ２２０２を、ゴルフクラブ２７００上に取り付けられるとセキュリティデバイス１５０２から分離できないようにする方法で、セキュリティタグコンパートメント１５３２とラッチハウジング１５３４を接触させるよう適合される。ブリッジ２２１４は、ゴルフクラブスペーサ２２０を中心とするデバイス１５０２の回転を防止するようにハウジング１５３０がそれに対して制止できる停止部を提供することができる。ベルトアセンブリ１５５０をブリッジ２２１４の下に通して、ゴルフクラブ上に取り付けられたときに、ゴルフクラブスペーサ２２０２とセキュリティデバイス１５０２が離れないようにするさらなるセキュリティを提供することができる。ハウジング保持チャンネル２２１６は、ゴルフクラブ上に取り付けられるとゴルフクラブスペーサ２２０２がセキュリティデバイス１５０２から分離できないようにする方法で、セキュリティタグコンパートメント１５３２およびラッチハウジング１５３４を固定するための領域を提供する。図２５および図２６は、セキュリティデバイス１５０２に挿入されたゴルフクラブスペーサ２２０２を示す斜視図である。図２７は、ゴルフクラブ２７００上に係止されたゴルフクラブスペーサ２２０２およびセキュリティデバイス１５０２を示す。
【００８５】
本発明によると、また、瓶スペーサ２８０２をセキュリティデバイス１５０２と一体となるように提供して、セキュリティデバイス自体に対して取付けおよび係止できるようにするにはネック直径が小さすぎる瓶に取り付けることができようになる。かかる瓶スペーサ２８０２について、図２８〜図３２を参照して説明する。
【００８６】
瓶スペーサ２８０２は、デバイス１５０２を瓶ネック上に固定して係止するための取付け中にベルトアセンブリ１５５０によって絞ることができるプラスチック、ゴムまたはその他のポリマー材料などの弾性材料で作製される。瓶スペーサ２８０２は単一の部分として成型することができることが企図される。瓶スペーサ２８０２は、瓶スペーサ２８０２をセキュリティデバイス１５０２によって絞るときに内径２８０６を狭めることができるようにするためのスペーサ開口部２８０４を含む。コネクタセグメント２８０８は、瓶上への取付けのために瓶スペーサを広く開けることができるような方法で、半分部分２８１０Ａと半分部分２８１０Ｂを、直径２８０６が容易に調整できるように結合させ、かつ、十分な圧力をネックの周囲全体にわたって瓶ネックシャフトに与えるような方法で、窃盗犯がスペーサ２８０２とデバイス１５０２の組み合わせをゴルフクラブシャフトから外す作業をする可能性が防止される。図２９および図３０に示されるように、瓶スペーサ３４０２はまた、ベルトアセンブリ１５５０を受け入れ保持するためのベルトチャンネル２８１２を含む。瓶スペーサ２８０２は、ベルトチャンネル２８１２を区画し、スペーサ２８０２を定位置に保持し、コネクタセグメント２８０８が切断されてもセキュリティデバイス１５０２から分離しないようにするために、外周の上側端部および下側端部に沿うリップ凸部２８１４を含む。
【００８７】
ブリッジ２８１６は、瓶スペーサ２８０２を中心とするデバイス１５０２の回転を防止するようにハウジング１５３０がそれに対して制止できる停止部を提供する。ベルトアセンブリ１５５０をブリッジ２８１６の下に通して、瓶上に取り付けられたときに、瓶スペーサ２８０２とセキュリティデバイス１５０２が離れないようにするさらなるセキュリティを提供することができる。図３１および図３２は、瓶スペーサ２８０２および瓶上に係止されたセキュリティデバイス１５０２を示す。
【００８８】
上記説明は「ゴルフクラブスペーサ」および「瓶スペーサ」について述べているが、これらのスペーサは、これらの対象物に関する使用のみに限定されるものではないことに留意されたい。このような指定は、説明の便宜上提供されたものに過ぎない。これらのスペーサに関するその他の使用がなされ得ることが企図される。たとえば「瓶スペーサ」は、鞄の取手または野球のバットなどの実質的に瓶ネック形状の固定点を有するその他の対象物を保護するための使用に好適である場合がある。同様に、「ゴルフクラブスペーサ」は、釣り竿、野球のバットおよび同様の形状の対象物を保護するのに好適である場合がある。また、「ゴルフクラブスペーサ」２８０２は、ある特定の瓶タイプを固定するための使用に好適である場合があり、「瓶スペーサ」３４０２は、ある特定のゴルフクラブタイプを固定するための使用に好適である場合があることが企図される。より小さいバージョンのセキュリティデバイス１５０２およびゴルフクラブスペーサ２８０２は、ハイヒールの踵または細長部分を有する任意の対象物の周りに嵌合するように仕上げることができる。同様に、スペーサ２２０２および２８０２は丸い中央開口部を有するものとして示されているが、本発明はそのようなものに限定されるものではない。丸型以外の形状を有する対象物は、固定される対象物の形状に合うようにスペーサ内に中央開口部を配置することによって、固定できることが企図される。
【００８９】
本発明は上記明細書に具体的に示され記載されたものに限定されるものではないことが、当業者には理解されよう。さらに、特に反対の言及がなされない限り、添付の図面はすべて原寸に比例していないことを理解されたい。添付の特許請求の範囲のみによって限定される本発明の範囲および趣旨から逸脱することなく、上記教示に照らして、様々な修正形態および変形形態が可能である。
【図１】
0005498961.tif 000002
【図２】
0005498961.tif 000003
【図３】
0005498961.tif 000004
【図４】
0005498961.tif 000005
【図５】
0005498961.tif 000006
【図６】
0005498961.tif 000007
【図７】
0005498961.tif 000008
【図８】
0005498961.tif 000009
【図９】
0005498961.tif 000010
【図１０】
0005498961.tif 000011
【図１１】
0005498961.tif 000012
【図１２】
0005498961.tif 000013
【図１３】
0005498961.tif 000014
【図１４】
0005498961.tif 000015
【図１５】
0005498961.tif 000016
【図１６】
0005498961.tif 000017
【図１７】
0005498961.tif 000018
【図１８】
0005498961.tif 000019
【図１９】
0005498961.tif 000020
【図２０】
0005498961.tif 000021
【図２１】
0005498961.tif 000022
【図２２Ａ】
0005498961.tif 000023
【図２２Ｂ】
0005498961.tif 000024
【図２２Ｃ】
0005498961.tif 000025
【図２２Ｄ】
0005498961.tif 000026
【図２２Ｅ】
0005498961.tif 000027
【図２２Ｆ】
0005498961.tif 000028
【図２３】
0005498961.tif 000029
【図２４】
0005498961.tif 000030
【図２５】
0005498961.tif 000031
【図２６】
0005498961.tif 000032
【図２７】
0005498961.tif 000033
【図２８】
0005498961.tif 000034
【図２９】
0005498961.tif 000035
【図３０】
0005498961.tif 000036
【図３１】
0005498961.tif 000037
【図３２】
0005498961.tif 000038